(57)【要約】【課題】水温を表示する上、水温が高いときに警報音を鳴らしてユーザに注意を喚起する蛇口の温度表示装置を提供する。【解決手段】蛇口の温度表示装置は、一方の端部に設けられた入水孔１１と、他方の端部に設けられた出水孔１２と、入水孔１１と出水孔１２とを連通する水流路１３と、を有する管体１と、管体１に接続される制御ユニット２と、管体１に接続され、制御ユニット２と電気的に接続され、管体１を通過する水流の温度を検出し、制御ユニット２へ検出信号を送信する温度センサユニット３と、制御ユニット２と電気的に接続され、管体１に接続された液晶表示装置４１を有し、水温を表示する表示ユニット４と、制御ユニット２と電気的に接続された警報装置５１を有し、警報音を鳴らす警報ユニット５と、制御ユニット２と電気的に接続され、温度表示装置に必要な電気エネルギーを供給する電源供給モジュール６とを備える。【選択図】図１
0003164744.tif 000002
【実用新案登録請求の範囲】
【請求項１】
一方の端部に設けられた入水孔と、他方の端部に設けられた出水孔と、前記入水孔と前記出水孔とを連通する水流路と、を有する管体と、
前記管体に接続される制御ユニットと、
前記管体に接続され、前記制御ユニットと電気的に接続され、前記管体を通過する水流の温度を検出し、前記制御ユニットへ検出信号を送信する温度センサユニットと、
前記制御ユニットと電気的に接続され、前記管体に接続された液晶表示装置を有し、水温を表示する表示ユニットと、
前記制御ユニットと電気的に接続された警報装置を有し、警報音を鳴らす警報ユニットと、
前記制御ユニットと電気的に接続され、温度表示装置に必要な電気エネルギーを供給する電源供給モジュールと、を備えることを特徴とする蛇口の温度表示装置。
【請求項２】
電源供給モジュールが、管体の水流路中に配置される水流発電機を有し、
前記水流発電機が、羽根車と、前記羽根車に接続された回転子と、前記回転子に対応する固定子と、を有し、前記管体を通過する水流により前記羽根車が回転すると、前記回転子が回転して前記回転子と前記固定子との間に電気が発生する請求項１に記載の蛇口の温度表示装置。
【請求項３】
電源供給モジュールが、電池を収納する電池ボックスを有する請求項１に記載の蛇口の温度表示装置。
【考案の詳細な説明】
【技術分野】
【０００１】
本考案は、温度表示装置に関し、特に、蛇口の出水口に接続したり蛇口本体の管体内に配置したりし、水温を表示する上、水温が高いときに警報音を鳴らしてユーザへ注意喚起することもできる蛇口の温度表示装置に関する。
【背景技術】
【０００２】
一般に、蛇口は、水流の開閉及び水流量の制御を行う装置であり、人々の生活において、頻繁に使用される設備である。しかし、従来の蛇口には、水温表示機能がなかった。従って、ユーザが十分注意せず、不用意に熱水を流出した場合、火傷の事故が発生する虞がある。この問題に鑑み、水温を表示する蛇口が開発されている。この蛇口の適当な位置には、水温を表示することができる装置が配置されている。この装置は、熱水が流出されるときに、その水温を表示することができるが、その多くが外付けの電源を接続する必要があるため、漏電の危険性がある。更に、従来の水温を表示することができる蛇口は、新たな構造の蛇口が必要となるため、住居内で使用する場合、既存の蛇口を交換する必要がある上、組立方式も複雑である。そのため、水温を表示することにより、火傷事故の発生を予防することは困難であった。また、従来の水温を表示することができる蛇口は、水温を表示する機能しか有していなかったため、水温が安全温度を超えた場合でも、警報音を鳴らすことができない。従って、ユーザが水温の変化に注意しなかった場合、危険な事故が発生する可能性がある。また、従来の水温を表示することができる蛇口は、電池からの電気エネルギーしか使用することができないため、電池の電気エネルギーを使い果たしたにもかかわらず、ユーザが電池交換を忘れた場合、危険な事故が発生する可能性がある。
【０００３】
そのため、既存の蛇口に接続することができ、水温表示機能を有する上、警報音を鳴らすことにより、火傷事故の発生を防止することができる蛇口の温度表示装置が求められていた。
【考案の概要】
【考案が解決しようとする課題】
【０００４】
本考案の目的は、管体、制御ユニット、温度センサユニット、表示ユニット、警報ユニット及び電源供給モジュールからなる構造により、簡単に、蛇口の出水口に装着したり、蛇口本体の管体に接続したり、蛇口本体の管体内に直接配置したりし、水温を表示することができる上、水温が高いときに警報音を鳴らしてユーザへ注意喚起することもできる蛇口の温度表示装置を提供することにある。
本考案のもう一つの目的は、管体中に配置される水流発電機及び／又は管体外に配置されたソーラーパネルにより、温度表示装置に必要な電気エネルギーを自ら生成することができる蛇口の温度表示装置を提供することにある。
【課題を解決するための手段】
【０００５】
前記課題を解決するために、本考案の第１の形態によれば、一方の端部に設けられた入水孔と、他方の端部に設けられた出水孔と、前記入水孔と前記出水孔とを連通する水流路と、を有する管体と、前記管体に接続される制御ユニットと、前記管体に接続され、前記制御ユニットと電気的に接続され、前記管体を通過する水流の温度を検出し、前記制御ユニットへ検出信号を送信する温度センサユニットと、前記制御ユニットと電気的に接続され、前記管体に接続された液晶表示装置を有し、水温を表示する表示ユニットと、前記制御ユニットと電気的に接続された警報装置を有し、警報音を鳴らす警報ユニットと、前記制御ユニットと電気的に接続され、温度表示装置に必要な電気エネルギーを供給する電源供給モジュールと、を備えることを特徴とする蛇口の温度表示装置が提供される。
【０００６】
また、前記電源供給モジュールが、前記管体の水流路中に配置される水流発電機を有し、前記水流発電機が、羽根車と、前記羽根車に接続された回転子と、前記回転子に対応する固定子と、を有し、前記管体を通過する水流により前記羽根車が回転すると、前記回転子が回転して前記回転子と前記固定子との間に電気が発生することが好ましい。
【０００７】
また、前記電源供給モジュールが、電池を収納する電池ボックスを有することが好ましい。
【０００８】
また、前記電源供給モジュールがソーラーパネルを有することが好ましい。
【０００９】
また、前記管体の側部には、前記表示ユニット及び前記警報ユニットが配置され、前記制御ユニットと接続又は接続されていないベースが設けられていることが好ましい。
【００１０】
また、前記制御ユニットは、前記管体の端部に設けられた出水孔に接続されていることが好ましい。
【００１１】
また、前記制御ユニットは、前記蛇口の管体内に配置されていることが好ましい。
【考案の効果】
【００１２】
本考案の蛇口の温度表示装置は、既存の蛇口の出水口に管体の入水孔を接続することができる。これにより、水流は、管体の水流路を通過した後、管体の出水孔から流出する。このとき、温度センサユニットが管体を通過する水流の温度を検出し、検出信号を制御ユニットに送信する。その後、制御ユニットが表示ユニットの液晶表示装置を駆動して水温を表示する。
本考案は、更に、水温が安全温度を超えたとき、制御ユニットが警報ユニットの警報装置を駆動することにより、警報音を鳴らすことができる。ユーザが水温を安全温度まで調整すると、制御ユニットが警報ユニットの警報装置の駆動を停止させる。
以上の構造により、本考案の蛇口の温度表示装置は、既存の蛇口に簡単に装着して使用することができる上、水温表示機能及び高温警告機能を有する。また、水流発電機及び／又はソーラーパネルにより、温度表示装置が必要とする電気エネルギーを自ら生成することができる。
【図面の簡単な説明】
【００１３】
【図１】図１は、本考案の一実施形態に係る蛇口の温度表示装置を示す模式図である。
【図２】図２は、本考案の一実施形態に係る蛇口の温度表示装置を示す断面図である。
【図３】図３は、本考案の一実施形態に係る蛇口の温度表示装置を示す斜視図である。
【考案を実施するための形態】
【００１４】
以下、本考案の実施形態について図に基づいて説明する。なお、これによって本考案が限定されるものではない。
【００１５】
図１を参照する。図１に示すように、本考案の一実施形態に係る蛇口の温度表示装置は、管体１、制御ユニット２、温度センサユニット３、表示ユニット４、警報ユニット５、及び電源供給モジュール６を有し、更に必要に応じてその他の部材を有してなる。
【００１６】
管体１は、一体成形又は複数の部材が組み合わされてなる中空の直管又は曲管である。
管体１は、一方の端部に設けられた入水孔１１と、他方の端部に設けられた出水孔１２と、入水孔１１と出水孔１２とを連通する水流路１３とを有する。入水孔１１は、既存の蛇口の出水口に接続することができる。
【００１７】
制御ユニット２は、回路基板及び必要な回路を有し、管体１の所定の箇所に接続され、温度表示装置を制御するために用いる。
【００１８】
温度センサユニット３は、管体１の内部に配置され、好ましくは、管体１の水流路１３中まで延設され、管体１を通過する水流の温度を検出するために用いる。温度センサユニット３は、電線又は他の方式によって制御ユニット２と電気的に接続され、検出信号を制御ユニット２に送信する。
【００１９】
表示ユニット４は、管体１の外側に接続される液晶表示装置４１を有する。液晶表示装置４１は、電線又はその他の方式により、制御ユニット２と電気的に接続され、制御ユニット２によって駆動され、管体１を通過する水流の水温を表示するために用いる。
【００２０】
警報ユニット５は、管体１又は制御ユニット２の回路基板上に接続された警報装置５１を有する。警報装置５１は、制御ユニット２と電気的に接続され、制御ユニット２によって駆動され、警報音を鳴らすために用いる。
【００２１】
電源供給モジュール６は、管体１の所定の箇所に接続される上、制御ユニット２と電気的に接続され、温度表示装置の動作に必要な電気エネルギーを供給するために用いる。
【００２２】
以上の構成により、本考案の蛇口の温度表示装置は、既存の蛇口の出水口に迅速に接続することができる上、水温表示及び水温が高いときにユーザへ注意喚起することもできる。
【００２３】
図１及び図２を参照する。図１及び図２に示すように、本考案の一実施形態に係る蛇口の温度表示装置の電源供給モジュール６は、管体１の水流路１３中に配置される水流発電機６１を有する。水流発電機６１は、羽根車６１１と、羽根車６１１の軸心に接続された回転子６１２と、回転子６１２に対応する固定子６１３とを有する。羽根車６１１は、図１及び図２に示すような軸流羽根又は放射状羽根でもよく、管体１の水流路１３中に回転可能に配置されている。回転子６１２は、一般のコイルを有する回転モジュールである。固定子６１３は、回転子６１２のコイル間又は周囲の永久磁石に配置される。また、回転子６１２及び固定子６１３は、管体１の水流路１３中に配置されるか、或いは、管体１の水流路１３外に配置される。以上の構造により、管体１を通過する水流が羽根車６１１を回転させたとき、回転子６１２が回転することにより、回転子６１２と固定子６１３との間に電気が発生し、温度表示装置に必要な電気エネルギーを供給する。この発電原理は、従来技術であるため、ここでは詳しく述べない。
【００２４】
図１を参照する。図１に示すように、本考案に用いる電源供給モジュール６は、電池を収納するために用いる電池ボックス６２でもよい。電池ボックス６２に収納された電池は、制御ユニット２と電気的に接続され、温度表示装置に必要な電気エネルギーを供給する。また、前記電源供給モジュール６は、温度表示装置に必要な電気エネルギーを生成するソーラーパネル６３でもよい。実際に使用する際、本実施形態の蛇口の温度表示装置は、上述の水流発電機６１、電池ボックス６２及びソーラーパネル６３のうちの少なくとも何れか１つから構成されてもよく、蛇口の温度表示装置に必要な電気エネルギーを供給する。
【００２５】
図２及び図３を参照する。図２及び図３に示すように、本実施形態では、管体１の側部に、管体１から突出するベース１４が一体成形されてもよい。ベース１４に凹設された収容槽１４１中には、上述の制御ユニット２、表示ユニット４（液晶表示装置４１）及び警報ユニット５が配置されている。
【００２６】
図１を参照する。図１に示すように、本考案の蛇口の温度表示装置を実際に使用する際、管体１の入水孔１１を既存の蛇口の出水口に迅速に接続（嵌接）してもよい。蛇口が開けられると、水流が管体１の水流路１３を通過し、管体１の出水孔１２から流出する。上述したことから分かるように、本実施形態の蛇口の温度表示装置は、実際に使用する際、既存の蛇口を交換せずに、既存の蛇口上に簡単に装着するだけで使用することができる。また、本考案の蛇口の温度表示装置は、製品の中に配置することもできるため、蛇口の見た目が美しい。
【００２７】
温度センサユニット３は、管体１（水流路１３）を通過する水流の温度を検出し、検出信号を制御ユニット２に送信する。その後、制御ユニット２により表示ユニット４の液晶表示装置４１を駆動して水温を表示する。水温が安全温度を超えた場合には、制御ユニット２により警報ユニット５の警報装置５１を駆動し、警報装置５１により警報音を鳴らして水温が高いことをユーザへ注意喚起する。ユーザが水温を安全温度になるまで調整すると、制御ユニット２は警報ユニット５の警報装置５１を停止させる。上述したことから分かるように、本実施形態の蛇口の温度表示装置は、水温表示機能及び高温警告機能を有する。
【００２８】
また、本実施形態の電源供給モジュール６は、水流発電機６１及び／又はソーラーパネル６３を利用し、温度表示装置の作動又は電池ボックスの充電に必要な電気エネルギーを自ら生成することができるため、温度表示装置の表示機能を常に正常に保つことができる。
【００２９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３０】
１      管体
２      制御ユニット
３      温度センサユニット
４      表示ユニット
５      警報ユニット
６      電源供給モジュール
１１      入水孔
１２      出水孔
１３      水流路
１４      ベース
４１      液晶表示装置
５１      警報装置
６１      水流発電機
６２      電池ボックス
６３      ソーラーパネル
１４１      収容槽
６１１      羽根車
６１２      回転子
６１３      固定子
【図１】
0003164744.tif 000003
【図２】
0003164744.tif 000004
【図３】
0003164744.tif 000005